(57)【要約】【課題】最小部品数にて格納式に構成し、ケースの開口がフック部材の使用状態でも閉じられるようにして見栄えを向上し、清潔感ないしは斬新性も付与できるようにする。【解決手段】ケース１と、ケースに軸支されてケース内に入る格納状態とケース外へ先端側フック部を突出した使用状態とに切り換えられるフック部材２とを備えたフック装置において、フック部材２は略J形状をなし、ケース開口を閉じる大きさで裏面側を略平坦になった基板２０及び基板の一端側から裏面と反対側に突出されたフック部２５からなり、 基板２０の裏面をケース外側に露出した格納状態から、フック部２５をケース外側に露出するとともに基板２０でケース開口を閉じた使用状態に切り換えられることを特徴としている。【選択図】図２
2012192779.tif 000002
【特許請求の範囲】
【請求項１】
ケースと、前記ケースに軸支されてケース内に入る格納状態とケース外へ先端側フック部を突出した使用状態とに切り換えられるフック部材とを備えたフック装置において、
前記フック部材は、略J形状をなし、前記ケースの開口を閉じる大きさで裏面側を略平坦になった基板及び前記基板の一端側から裏面と反対側に突出されたフック部からなり、
前記基板の裏面を前記ケース外側に露出した格納状態から、前記フック部を前記ケース外側に露出するとともに前記基板で前記ケースの開口を閉じた使用状態に切り換えられることを特徴とするフック装置。
【請求項２】
前記ケースと前記フック部材との間に設けられて、前記フック部材の回転範囲を略１８０度に規制する反転規制手段を有していることを特徴とする請求項１に記載のフック装置。
【請求項３】
前記ケースと前記フック部材との間に設けられて、前記フック部材を前記格納状態に維持する保持手段を有し、前記保持手段の保持力に抗して前記フック部材を前記格納状態から前記使用状態に切り換えることを特徴とする請求項１又は２に記載のフック装置。
【請求項４】
前記ケースと前記フック部材との間に設けられて、前記フック部材を前記使用状態に維持する第２の保持手段を有し、前記第２の保持手段の保持力に抗して前記フック部材を前記使用状態から前記格納状態に切り換えることを特徴とする請求項１から３の何れかに記載のフック装置。
【請求項５】
前記フック部材は、前記基板と前記フック部先端との間に配設されて、前記フック部の出入口を閉じてそのフック部に吊り下げられる物品類の抜けを防止可能にする弾性のリッドを有していることを特徴とする請求項１から４の何れかに記載のフック装置。
【発明の詳細な説明】
【技術分野】
【０００１】
本発明は、衣服やバック等を吊すためのフック装置のうち、特に、フック部材がケース内に入る格納状態とケース外へ突出した使用状態とに切り換えられる乗物の室内用として好適なフック装置に関する。
【背景技術】
【０００２】
対象のフック装置は、特許文献１や２に例示されるごとくケースと、ケースに軸支されてケース内に入る格納状態とケース外へフック部を突出した使用状態とに切り換えられるフック部材とを備えた格納式である。そして、各特許文献１，２のフック装置は、フック部材がケース内に収まった格納状態から下側を支点として略９０度回転されると使用状態に切り換えられるとともに、フック部材を使用状態又は格納状態の方向へ付勢する付勢手段、フック部材の回転速度を制動するダンパーなどを有している。また、各フック部材は、格納状態から使用状態に切り換えられると、先端側フック部をケース外へ突出するとともに、ケースの開口のうち上側空間を露出する。
【先行技術文献】
【特許文献】
【０００３】
【特許文献１】特開２００３−２８１３０号公報
【特許文献２】特開２００６−３５９９４号公報
【発明の概要】
【発明が解決しようとする課題】
【０００４】
上記したフック構造では、ケース及びフック部材とともに付勢手段やダンパーなどを必須としているため部品点数が多く組立が面倒でありコスト低減に限界があった。また、従来のフック構造では、フック部材が格納状態から略９０度回転されて使用状態に切り換えられると、フック部をケース外へ突出してケースの開口のうち上側空間を大きく露出するため、見栄えが悪くなり埃などが侵入し易くなる。また、フック部材を略９０度回転ないしは略９０度反転して格納状態から使用状態に切り換えたり使用状態から格納状態に切り換えるタイプだと、フック部の掛止形状を維持してケース側の収納空間を低減し難かった。
【０００５】
そこで、本発明の目的は、以上のような課題を解決して、特に、最小部品数にて格納式に構成し、ケースの開口がフック部材の使用状態でも閉じられるようにして見栄えを向上し、清潔感ないしは斬新性も付与できるようにすることにある。
【課題を解決するための手段】
【０００６】
上記目的を達成するため本発明は、形態例を参考にして特定すると、ケース１と、前記ケースに軸支されてケース内に入る格納状態とケース外へ先端側フック部を突出した使用状態とに切り換えられるフック部材２とを備えたフック装置において、前記フック部材２は、略J形状をなし、前記ケースの開口を閉じる大きさで裏面側を略平坦になった基板２０及び前記基板の一端側から裏面と反対側に突出されたフック部２５からなり、 前記基板２０の裏面を前記ケース外側に露出した格納状態から、前記フック部２５を前記ケース外側に露出するとともに前記基板２０で前記ケースの開口を閉じた使用状態に切り換えられることを特徴としている。
【０００７】
以上の本発明は、請求項２〜６のごとく具体化されることがより好ましい。すなわち、（イ）前記ケース１と前記フック部材２との間に設けられて、前記フック部材の回転範囲を略１８０度に規制する反転規制手段（１７，１９ａと２２）を有している構成である（請求項２）。
（ロ）前記ケース１と前記フック部材２との間に設けられて、前記フック部材を前記格納状態に維持する保持手段（１５ｂと２７）を有し、前記保持手段の保持力に抗して前記フック部材を前記格納状態から前記使用状態に切り換える構成である（請求項３）。
【０００８】
（ハ）前記ケース１と前記フック部材２との間に設けられて、前記フック部材を前記使用状態に維持する第２の保持手段（１５ｂと２１ａ）を有し、前記第２の保持手段の保持力に抗して前記フック部材を前記使用状態から前記格納状態に切り換える構成である（請求項４）。
（ニ）前記フック部材２は、前記基板２０と前記フック部先端との間に配設されて、前記フック部２５の出入口を閉じてそのフック部に吊り下げられる物品類の抜けを防止可能にする弾性のリッド３や６を有している構成である（請求項５）。
【発明の効果】
【０００９】
請求項１の発明では、ケース及びフック部材からなるため簡易であり、ケースの開口がフック部材の格納状態だけではなく使用状態でも閉じられているため見栄えがよく、埃などの異物がケース内へ入り難くなって清潔感が得られる。換言すると、本発明のフック装置は、ケース及びフック部材の２点構成にして低コスト化を図ることに加え、フック部材が略Ｊ形状で、格納状態及び使用状態ともにケースの開口を基板で閉じるようにして見栄えなどを向上できる。
【００１０】
請求項２の発明では、形態例のごとく略Ｊ形状の上下中間部を支点として約１８０度正逆回転ないしは約１８０度反転して、格納状態から使用状態に切り換えたり使用状態から格納状態に切り換えるため、従来の略９０度回転するタイプに比べて安定した切換操作性とともにケース側からの張出量を抑え易くなる。
【００１１】
請求項３の発明では、フック部材の格納状態を保持手段で保つため安定維持できる。この保持手段は形態例のごとく凹凸構成により簡単に付与することができる。
【００１２】
請求項４の発明では、フック部材の使用状態を第２の保持手段で保つため、例えばフック部に吊り下げられた物品類を外すときなどにフック部材の不用意な回転を防ぎ、それにより使い勝手を向上できる。この第２の保持手段も形態例のごとく凹凸構成により簡単に付与することができる。
【００１３】
請求項５の発明では、物品類がフック部に吊り下げられた状態で上下に振動してもリッドにより脱落を防ぎ、それにより使い勝手を向上できる。
【図面の簡単な説明】
【００１４】
【図１】本発明形態のフック装置を分解して示す構成図である。
【図２】（ａ），（ｂ）は図１のフック装置をフック部材の格納状態及び使用状態で示す概略斜視図である。
【図３】（ａ）〜（ｄ）は上記フック装置を使用状態で示す正面図、側面図、上面図、下面図である。
【図４】（ａ）〜（ｄ）は上記フック装置を格納状態で示す正面図、側面図、上面図、下面図である。
【図５】（ａ）と（ｂ）は図３（ａ）のＡ−Ａ線拡大断面図とＢ−Ｂ線拡大断面図である。
【図６】（ａ）と（ｂ）は図４（ａ）のＡ1−Ａ1線拡大断面図とＢ1−Ｂ1線拡大断面図である。
【図７】（ａ）と（ｂ）は上記フック装置のケースを示す側面図と背面図である。
【図８】（ａ）と（ｂ）は上記フック装置のフック部材を示す側面図と正面図である。
【図９】（ａ）は上記フック装置の変形例を図５（ａ）に対応して示す図である。
【発明を実施するための形態】
【００１５】
以下、本発明の好適な形態例について図面を参照しながら説明する。この説明では、装置構造、組立と主作動、変形例の順に詳述する。
【００１６】
（装置構造）形態例のフック装置は、前後に貫通形成されたケース１と、ケース１に軸支されてケース内に入る格納状態とケース外へ先端側フック部２５を突出した使用状態とに切り換えられるフック部材２と、フック部材２に設けられてフック部２５の出入口を閉じているリッド３とを備えている。材質は、ケース１、フック部材２、リッド３がともに樹脂成形品であるが、樹脂以外でもよい。
【００１７】
ここで、ケース１は、特に図１と図５及び図７に示されるごとく前側の枠部１０と、枠部１０から後方へ張り出し、かつ間の切欠部１３を介して設けられた上下区画壁部１１１，１２とからなる。切欠部１３は、枠部１０に近づくほど上下区画壁部１１，１２の上下対向部を接近した状態に設けられ、かつ枠部１０の両側付近に軸穴１３ａを形成している。両軸穴１３ａは、枠部両側の略上下中間に設けられて左右対向している。
【００１８】
上下区画壁部１１，１２は、切欠部１３を挟んだ上下に対向していて、図６のごとく間にフック部材２を収容可能な形状となっている。上区画壁部１１は、上外面にあって枠部１０と間隔を保って立設された一対の片部１４と、図３（ｃ）のごとく各片部１４の外側に設けられて反転規制手段を構成している前後に長い規制溝１７、及び両規制溝１７の間に設けられて略コ形スリット１５ａで区画されて内面に弾性圧接部１５ｂを形成している揺動片部１５とを有している。
【００１９】
一方、下区画壁部１２は、各規制溝１７に対応して設けられたガイド溝１９及びそのガイド溝１９を枠部１０側に延長形成した反転規制溝を構成している規制溝１９ａを有している。符号１２ａはフック部材２を後述するパネル４に取り付けるための係止爪である。符号１８は、両ガイド溝１９の間に設けられて略コ形スリット１８ａで区画されている揺動片部である。この揺動片部１８は、例えば、フック部材２がケース１内に入れられた図６の格納状態において、フック部材２の対応部が軽く弾性的に接するようにして不用意な隙間を吸収可能にする。
【００２０】
これに対し、フック部材２は、特に図１と図５及び図８に示されるごとく概略J形状をなし、ケース１の開口つまり枠部１０内を閉じる大きさの基板２０、及び基板２０の一端側から円弧状に突出形成されたフック部２５と、基板２０とフック部２５先端との間に配設されて、フック部２５の出入口を閉じてそのフック部に吊り下げられる物品（の引っ掛け部５）の抜けを防止可能にする弾性のリッド３とからなる。但し、本発明のフック装置は、リッド３を省略しても基本作動に影響しないが、車室使用で走行振動を受け易い場合などにはリッド３を付設することが好ましい。
【００２１】
基板２０は、湾曲状のフック部２５を突出している側が表面となり、その反対側が略平坦となった背面ないしは裏面となり、両側面に設けられた軸部２３と、フック部２５を突出している側と反対側の端面に設けられた一対の突起２２と、フック部２５の外面に設けられて保持手段を構成している凸部２７とを有している。
【００２２】
このうち、両側の軸部２３は同軸線上に設けられている。各突起２２は、ケース側の規制溝１７及び１９ａとともに本発明のフック部材用反転規制手段を構成している。凸部２７は、上記弾性圧接部１５ｂとともに本発明の保持手段を構成している。なお、符号２０ａ〜２０ｅ、及び符号２５ａ，２５ｂは、基板２０ないしはフック部２５の両側面に設けられた軽量化を目的とした凹部である。このような凹部は省略可能である。
【００２３】
基板２０の表面側には、フック部２５が上下方向の一端側から所定の傾きで突設されているとともに、係合溝２４がフック部２５とは反対側の他端側に設けられている。この係合溝２４は、リッド３を装着するためのものであり、断面で略Ｔ形状に設けられて基板２０の幅方向に延びている。
【００２４】
基板２０の裏面側には、操作部２１が突起２２を突出している端面付近に膨出形成されている。この操作部２１は、図６のごとくフック部材２がケース１に収まった格納状態から、図５のごとく使用状態に切り換えられるときにフック部材２をケース内方向に押し操作するときに指当て部となる。また、操作部２１の端面側には凹部２１ａが設けられている。この凹部２１ａは、上記弾性圧接部１５ｂとともに本発明の第２の保持手段を構成している。
【００２５】
リッド３は、適度な弾性変形可能な平板状をなし、少し太く形成された基端３ａを有している。そして、リッド３は、基端３ａを係合溝２４と係合することでフック部材２に装着される。この装着状態では、リッド３の先端がフック部２５の先端面に当接されて、基板２０とフック部２５との間の隙間をリッド３により閉じる。
【００２６】
（組立と主作動）以上のケース１とフック部材２とは、例えば、フック部材２がケース１内に配置されて、両側の軸部２３が対応する軸穴１３ａに押し入れられるようにして嵌合することにより、ケース１に対して１８０度反転可能に組み付けられてフック装置となる。このフック装置は、図３及び図４の各（ｂ）に模式的に示したごとく車室内などのパネル４に対し、取付穴に上下区画壁部１１，１２を押し入れると、パネルの取付穴縁部を片部１４と枠部１０の対向部との間と、係止爪１２ａと枠部１０の対向部との間に挟持した状態で装着される。そして、フック装置は、フック部材２がケース１に対して各突起２２が規制溝１７の溝端に当接した図５（ｂ）の使用状態と、規制溝１９ａの溝端に当接した図６（ｂ）の格納状態とに軸部２３を支点として略１８０度反転される。その際は次のような利点が得られるようになっている。
【００２７】
（１）このフック装置は、ケース１の開口（枠部１０内）がフック部材２の格納状態、及び使用状態ともに基板２０により閉じられていることから、従来品に比べ格納状態だけではなく使用状態においても見栄えがよく、埃などの異物がケース１内へ入り難くなり、それらによって高品質化が部材数を抑え低コスト化とともに達成される。
【００２８】
（２）以上のフック装置において、フック部材２は、各突起２２が規制溝１７の枠側溝端に当接した使用状態において、凹部２１ａが図５（ａ）の拡大図のごとく弾性圧接部１５ｂに圧接係合することにより、その使用状態に安定保持される。同時に、フック部材２は、各突起２２が規制溝１９ａの枠側溝端に当接した格納状態において、凸部２７が図６（ａ）の拡大図のごとく弾性圧接部１５ｂに圧接係合することにより、その格納状態に安定保持される。
【００２９】
（３）また、フック装置は、フック部材２がケース１内において上下略中間に設けられた軸部２３を支点として略１８０度反転されるため、例えば９０度回転する従来構成に比べて使用状態においてケース１からの突出量を抑え易くなったり安定した切換操作性とともにケース側の収納空間を抑え易くなる。
【００３０】
（４）フック装置の使用状態において、図５に模式的に示したごとく各種物品の引っ掛け部５を、リッド３をフック部内から外へ弾性変位させて、フック部２５の先端とリッド３と間に形成される隙間からフック部２５内に引っ掛けるようにして吊り下げる。また、他の方法としては、リッド３を引っ掛け部５の荷重によりフック部２５内へ強制的に弾性変位させて、引っ掛け部５をフック部２５内に入れて引っ掛けることも可能である。その場合は、リッド３がフック部２５内に強制的に折り曲げられた後、引っ掛け部５を通り過ぎると元の状態に弾性復元される。
【００３１】
（変形例）図９は、上記リッドの他の構成例を図５（ａ）に対応して示している。この説明では、上記形態と同じか類似する部材に同じ符号を付し、変更した構成についてだけ詳述する。すなわち、このリッド６は、フック部材２の基板２０に一体的に樹脂成形した例であり、リッド先端がフック部２５の先端面に当接されて、基板２０とフック部２５との間の隙間を閉じる。勿論、このようなリッドは、インサート成形やアウトサート成形により一体的に成形することも可能である。
【００３２】
なお、以上の形態例は本発明を何ら制約するものではない。本発明のフック装置は、請求項１で特定される技術要素を備えておればよく、細部は必要に応じて種々変更可能なものである。その一例としてはフック部材からリッドを省略することである。
【符号の説明】
【００３３】
１・・・ケース（１０は枠部、１１と１２は上下区画壁部、１３は切欠部）
２・・・フック部材（２０は基板、２５はフック部、２３は軸部）
３・・・リッド
４・・・パネル
５・・・物品の引っ掛け部
６・・・リッド
１３ａ・・・軸穴
１４・・・挟持用片部
１５ｂ・・・弾性圧接部（保持手段又は第２の保持手段）
１７，１９ａ・・・規制溝（反転規制手段）
２１ａ・・・凹部（第２の保持手段）
２２・・・突起（反転規制手段）
２７・・・凸部（保持手段）
【図１】
2012192779.tif 000003
【図２】
2012192779.tif 000004
【図３】
2012192779.tif 000005
【図４】
2012192779.tif 000006
【図５】
2012192779.tif 000007
【図６】
2012192779.tif 000008
【図７】
2012192779.tif 000009
【図８】
2012192779.tif 000010
【図９】
2012192779.tif 000011